(57)【要約】【課題】RH-PB法により、環境負荷の大きいホタル石CaF2を用いずにS濃度≦50ppmの低S鋼を、より少ない脱硫フラックスの使用量で効率的に安定して溶製する。【解決手段】RH-PB法により溶鋼2を脱硫する際に、粉体上吹きランスとして、粉体吹込み方向の中心方向がランス中心軸の方向に対してランス噴霧角度傾斜した偏心ランス13を用い、偏心ランス13のランス孔18から、偏心ランス13の中心軸の延長と還流する溶鋼2との交点までの距離Lを1.5〜3.5mとし、さらに、ホタル石を含まない粉状の脱硫フラックス14を、環流ガス吹込み羽口7の直上から水平方向へ１ｍ以内離れた範囲に存在する湯面へ向けて、吹込む。【選択図】図１
2018109213.tif 000002
【特許請求の範囲】
【請求項１】
溶鋼を収容する取鍋の上方に配置された真空槽の下部に設けられた上昇管に設けられた還流ガス吹込み羽口から還流ガスを上方へ吹き込むことにより前記溶鋼を、前記上昇管、前記真空槽、該真空槽の下部に設けられた下降管および前記取鍋の順に還流させながら、前記真空槽の内部に配置された粉体上吹きランスから、還流する溶鋼の湯面に粉状の脱硫フラックスを吹込むことにより前記溶鋼を脱硫する方法において、
前記粉体上吹きランスとして、粉体吹き込み方向の中心方向がランス中心軸の方向に対してランス噴霧角度傾斜した偏心ランスを用い、
前記粉体上吹きランスのランス孔から、該粉体吹きランスの中心軸の延長と前記還流する溶鋼との交点までの距離を１．５〜３．５ｍとし、さらに、
前記粉状の脱硫フラックスを、前記環流ガス吹込み羽口の直上から水平方向へ１ｍ以内離れた範囲に存在する前記湯面へ向けて、吹込む、溶鋼の脱硫方法。
【請求項２】
前記ランス噴霧角度θは、式（１）および式（２）を満足する、請求項１に記載の溶鋼の脱硫方法。
tanθ≦R/(Hlance-Y)                                      ・・・(1)
{Rn+LH-(αn+Y)×tanθ’}/(Hlance-Y)≦tanθ  ・・・(2)
ただし、
浴深Ｙ=Hs+Ls-α(m)
溶鋼高さＨs=(Pa-Pr)/ρg(m)
θ:粉体上吹きランスの噴霧角度(deg)
R:真空槽の中心部の湯面高さにおける真空槽の内径(m)
Hlance:粉体上吹きランスの先端〜真空槽の中心部の鉛直方向距離であるランス高さ(m)
Y:真空槽の底部中心における浴深(m)
Rn:真空槽の底部中心から還流ガス吹込み羽口までの水平方向距離(m)
LH:水平方向への気泡到達距離(m)
αn:真空槽の底部中心〜上昇管の還流ガス吹込み羽口までの鉛直方向距離(m)
θ’:気泡塔広がり角度であり12〜15(deg)
Hs:真空槽の中心部の溶鋼と取鍋内の溶鋼の鉛直方向距離である溶鋼高さ(m)
Ls:上昇管の溶鋼への浸漬深さ(m)
α:真空槽の底部中心槽〜上昇管の先端までの鉛直方向距離(m)
Pa:大気圧(kPa)
Pr:真空槽の槽内圧力(kPa)
ρ:溶鋼の比重(g/cm3)
g:重力加速度(g/sec2)
である。
【請求項３】
前記粉状の脱硫フラックスの吹込み時に、前記偏心ランスを、前記ランス中心軸を回転中心として往復回転させる、請求項１または２に記載の溶鋼の脱硫方法。
【請求項４】
前記粉状の脱硫フラックスは、ＣａＯを主体として含有し、１０〜３０質量％のＣａ系合金を含有する、請求項１〜３のいずれかに記載の溶鋼の脱硫方法。
【請求項５】
前記粉状の脱硫フラックスは、ホタル石を含まない、請求項１〜４のいずれかに記載の溶鋼の脱硫方法。
【請求項６】
溶鋼を収容する取鍋と、
前記取鍋の上方に配置される真空槽と、
該真空槽の下部に設けられて前記溶鋼に浸漬される上昇管および下降管と、
前記上昇管に設けられる還流ガス吹込み羽口とを備え、
前記還流ガス吹込み羽口から還流ガスを上方へ吹き込むことにより前記溶鋼を、前記上昇管、前記真空槽、前記下降管および前記取鍋の順に還流させながら、前記真空槽の内部に配置された粉体上吹きランスから、還流する溶鋼の湯面に粉状の脱硫フラックスを吹込むことにより前記溶鋼を脱硫する装置において、
前記粉体上吹きランスは、粉体吹き込み方向の中心方向がランス中心軸の方向に対してランス噴霧角度傾斜した偏心ランスであるとともに、前記粉状の脱硫フラックスを、前記環流ガス吹込み羽口の直上から水平方向へ１ｍ以内離れた範囲に存在する前記湯面へ向けて、吹込み、かつ
前記粉体上吹きランスのランス孔から、該粉体吹きランスの中心軸の延長と前記還流する溶鋼との交点までの距離は１．５〜３．５ｍである、溶鋼の脱硫装置。
【請求項７】
前記ランス噴霧角度θは、式（１）および式（２）を満足する、請求項６に記載の溶鋼の脱硫装置。
tanθ≦R/(Hlance-Y)                                      ・・・(1)
{Rn+LH-(αn+Y)×tanθ’}/(Hlance-Y)≦tanθ  ・・・(2)
ただし、
浴深Ｙ=Hs+Ls-α(m)
溶鋼高さＨs=(Pa-Pr)/ρg(m)
θ:粉体上吹きランスの噴霧角度(deg)
R:真空槽の中心部の湯面高さにおける真空槽の内径(m)
Hlance:粉体上吹きランスの先端〜真空槽の中心部の鉛直方向距離であるランス高さ(m)
Y:真空槽の底部中心における浴深(m)
Rn:真空槽の底部中心から還流ガス吹込み羽口までの水平方向距離(m)
LH:水平方向への気泡到達距離(m)
αn:真空槽の底部中心〜上昇管の還流ガス吹込み羽口までの鉛直方向距離(m)
θ’:気泡塔広がり角度であり12〜15(deg)
Hs:真空槽の中心部の溶鋼と取鍋内の溶鋼の鉛直方向距離である溶鋼高さ(m)
Ls:上昇管の溶鋼への浸漬深さ(m)
α:真空槽の底部中心槽〜上昇管の先端までの鉛直方向距離(m)
Pa:大気圧(kPa)
Pr:真空槽の槽内圧力(kPa)
ρ:溶鋼の比重(g/cm3)
g:重力加速度(g/sec2)
である。
【請求項８】
前記粉体上吹きランスは、前記粉状の脱硫フラックスの吹込み時に、前記ランス中心軸を回転中心として往復回転自在である、請求項６または７に記載の溶鋼の脱硫装置。
【発明の詳細な説明】
【技術分野】
【０００１】
本発明は、溶鋼の脱硫方法および脱硫装置に関する。
【背景技術】
【０００２】
鋼材中の不純物元素が鋼材の品質に与える影響は大きく、近年の鋼材の高級化の需要の高まりから、不純物元素を低減する技術の開発が必要とされている。不純物元素の中でも溶鋼中の硫黄（以下、「Ｓ」と記載する）は、溶鋼中の溶質元素と硫化物系介在物（鋼材中に残留した酸化物や硫化物等の非金属粒子を介在物という）を生成する。
【０００３】
鋼材中の介在物は、母材と異なる性質を有するため、鋼材の破壊の起点になり、あるいは鋼材の耐食性の低下を招く原因になる。このため、溶鋼中のＳ濃度を低下させることにより硫化物系介在物の生成を抑制する。例えば、油井管やラインパイプをはじめとする耐サワー性や耐ＨＩＣ性を要求される管材では、Ｓ濃度が４０ｐｐｍ以下である低Ｓ濃度の溶鋼が要求される。
【０００４】
低Ｓ濃度の溶鋼の溶製方法は、脱炭炉で脱炭処理した溶鋼を取鍋に出鋼し、次工程の二次精錬設備で脱硫処理を行う。
【０００５】
二次精錬は、（ａ）炭素、水素、窒素等の濃度の低減あるいは制御を目的として、溶鋼の脱ガス処理が可能になる減圧雰囲気下での脱ガスと、（ｂ）溶鋼中の不純物元素や介在物の除去を目的としてフラックスや媒溶剤の添加による精錬（フラックス−溶鋼間の反応）の２種類に大別される。
【０００６】
従来、上記ａ，ｂ項の処理は、機能分化のためにそれぞれ別工程で行われていたが、製造コストの削減、製造設備の集約、生産の高効率化といった観点から、単一の精錬設備を用いた多機能精錬方法の開発が求められている。これに対応して、ＲＨ真空脱ガス装置における脱硫方法が開発されている。
【０００７】
図９は、ＲＨ真空脱ガス装置（以下、「ＲＨ装置」ともいう）１により溶鋼２の精錬を行う状況を示す説明図である。
【０００８】
図９に示すように、ＲＨ装置１は、溶鋼２を収容する取鍋３の上方に設置された真空槽４と、真空槽４の下部に設けられた上昇管５および下降管６と、上昇管５に設けられた還流ガス吹込み羽口７とを備える精錬設備であり、還流ガス吹込み羽口７から還流ガス８を上方へ吹き込むことにより溶鋼２を、上昇管５、真空槽４、下降管６および取鍋３の順に還流させることにより、主に、脱ガス処理を必要とする鋼種を溶製するために用いられ、生産性の高さから二次精錬設備として国内外で広く用いられている。
【０００９】
そして、ＲＨ装置１で脱硫を行うため、ＲＨ装置１の真空槽４内を還流する溶鋼２の湯面に、真空槽４の内部に配置される粉体上吹きランス９から、ＣａＯを主体とする粉状の脱硫フラックス１０を吹込んで、ＣａＯと溶鋼中のＳとを反応させることにより、脱硫フラックス１０の粒子（ＣａＯ粒子）の界面にＣａＳを固溶、析出させて粒子を除去する。以下、この脱硫方法を「ＲＨ−ＰＢ法」ともいう。
【００１０】
しかし、ＲＨ装置１における脱硫の反応効率は、他の反応装置を用いた脱硫方法の反応効率よりも、低いことが知られている。その理由として、真空槽４内で吹き込まれたＣａＯ粒子が真空槽４の排気系１１に吸引されて散逸すること、ＣａＯ粒子が溶鋼２に濡れ難いために溶鋼２内に巻込まれ難いこと、さらには、ＣａＯ粒子の溶鋼２との反応性が低いこと等が知られている。
【００１１】
また、脱硫フラックス１０の吹込み量が多いと、溶製コストが増加するだけでなく、溶鋼２の温度の低下を補うために合金添加孔１２から添加されるＡｌ量も増加し、この点からも溶製コストが増加する。このため、脱硫フラックス１０の単位使用量当たりの脱硫反応効率が高いことも要求される。
【００１２】
従来、この問題を解決するために、脱硫フラックス１０としてホタル石ＣａＦ２を用いることにより、高塩基度でＣｓ（サルファイドキャパシティーといい、スラグおよび溶鋼間のＳの分配関係を示す）が高く、低融点化によって液相になり反応界面積を増やし易いといった性質を有するスラグを生成し、フラックス−溶鋼２間の脱Ｓ反応を飛躍的に効率化させていた。
【００１３】
しかしながら、ホタル石に含まれるフッ素は環境汚染の原因となることが知られており、近年の環境規制の観点から、製鋼工程のフッ素レス化が求められている。したがって、フッ素を用いずに、低脱Ｓ能であるＲＨ装置１等の真空脱ガス装置における脱硫フラックス１０の反応効率を向上させ、極低Ｓ鋼を溶製する技術が求められている。
【００１４】
しかし、脱硫フラックス１０にホタル石を用いないと、脱硫剤の凝集や反応界面積の低下により脱Ｓ反応効率が低下し易くなることは避けられない。
【００１５】
特許文献１には、上吹きランス９から真空槽４内の溶鋼２の浴面に、酸素もしくは酸化性ガスを吹き付けるとともに、アルミニウムまたはアルミニウム含有還元剤を添加し、その後その上吹きランス９からＣａＯを主成分とする脱硫フラックス１０の粉末を少なくとも１ｋｇ／ｔｏｎ吹き付け、あるいはまた、上記の処理に加えて真空槽４内に滞留する溶鋼２の浴深さを低下させることにより、吹込んだ脱硫フラックス１０の粉末を溶鋼とともに真空槽４と取鍋３との間で循環させることにより、溶鋼２の汚染を招くことなく、効率よく短時間で脱硫し、Ｓ濃度が３〜５質量％の低硫鋼を溶製する発明が開示されている。
【００１６】
特許文献２には、脱酸を終了した溶鋼２をＲＨ装置１により真空脱ガス処理を行う際に、真空槽４の上部より鉛直に挿設したランス９からキャリアガスとともに、ＣａＯ（生石灰）の他にＣａＯにＣａＦ２などを混合して低融点化した脱硫フラックス１０を上吹きして脱硫処理を行った後、溶鋼２の環流を止めない範囲の圧力レベルに高め、カルシウム合金粒を合金添加孔１２から真空槽４内の溶鋼２に添加することにより効率的に高清浄鋼を溶製する発明が開示されている。
【先行技術文献】
【特許文献】
【００１７】
【特許文献１】特開平５−２８７３５９号公報
【特許文献２】特開平７−７０６２８号公報
【発明の概要】
【発明が解決しようとする課題】
【００１８】
しかし、特許文献１，２により開示された発明では、ＲＨ装置１を用いて環境負荷の大きいホタル石を用いずに、Ｓ濃度が４０ｐｐｍ以下の極低Ｓ鋼を、脱硫フラックス１０のより少ない単位使用量で効率的に安定して溶製することはできない。
【課題を解決するための手段】
【００１９】
本発明は以下に列記の通りである。
【００２０】
（１）溶鋼を収容する取鍋の上方に配置された真空槽の下部に設けられた上昇管に設けられた還流ガス吹込み羽口から還流ガスを上方へ吹き込むことにより前記溶鋼を、前記上昇管、前記真空槽、該真空槽の下部に設けられた下降管および前記取鍋の順に還流させながら、前記真空槽の内部（具体的には、真空槽の水平面内の中心部）に配置された粉体上吹きランスから、還流する溶鋼の湯面に粉状の脱硫フラックスを吹込むことにより前記溶鋼を脱硫する方法において、
前記粉体上吹きランスとして、粉体吹き込み方向の中心方向がランス中心軸の方向に対してランス噴霧角度傾斜した偏心ランスを用い、
前記粉体上吹きランスのランス孔から、該粉体吹きランスの中心軸の延長と前記還流する溶鋼との交点までの距離を１．５〜３．５ｍとし、さらに、
前記粉状の脱硫フラックスを、前記環流ガス吹込み羽口の直上から水平方向へ１ｍ以内離れた範囲に存在する前記湯面へ向けて、吹込む、溶鋼の脱硫方法。
【００２１】
（２）前記ランス噴霧角度θは、式（１）および式（２）を満足する、１項に記載の溶鋼の脱硫方法。
tanθ≦R/(Hlance-Y)                                      ・・・(1)
{Rn+LH-(αn+Y)×tanθ’}/(Hlance-Y)≦tanθ  ・・・(2)
ただし、
浴深Ｙ=Hs+Ls-α(m)
溶鋼高さＨs=(Pa-Pr)/ρg(m)
θ:粉体上吹きランスの噴霧角度(deg)
R:真空槽の中心部の湯面高さにおける真空槽の内径(m)
Hlance:粉体上吹きランスの先端〜真空槽の中心部の鉛直方向距離であるランス高さ(m)
Y:真空槽の底部中心における浴深(m)
Rn:真空槽の底部中心から還流ガス吹込み羽口までの水平方向距離(m)
LH:水平方向への気泡到達距離(m)
αn:真空槽の底部中心〜上昇管の還流ガス吹込み羽口までの鉛直方向距離(m)
θ’:気泡塔広がり角度であり12〜15(deg)
Hs:真空槽の中心部の溶鋼と取鍋内の溶鋼の鉛直方向距離である溶鋼高さ(m)
Ls:上昇管の溶鋼への浸漬深さ(m)
α:真空槽の底部中心槽〜上昇管の先端までの鉛直方向距離(m)
Pa:大気圧(kPa)
Pr:真空槽の槽内圧力(kPa)
ρ:溶鋼の比重(g/cm3)
g:重力加速度(g/sec2)
である。
【００２２】
（３）前記粉状の脱硫フラックスの吹込み時に、前記偏心ランスを、前記ランス中心軸を回転中心として往復回転させる、１または２項に記載の溶鋼の脱硫方法。
【００２３】
（４）前記粉状の脱硫フラックスは、ＣａＯを主体として含有し、１０〜３０質量％のＣａ系合金を含有する、１〜３項のいずれかに記載の溶鋼の脱硫方法。
【００２４】
（５）前記粉状の脱硫フラックスは、ホタル石を含まない、１〜４項のいずれかに記載の溶鋼の脱硫方法。
【００２５】
（６）溶鋼を収容する取鍋と、
前記取鍋の上方に配置される真空槽と、
該真空槽の下部に設けられて前記溶鋼に浸漬される上昇管および下降管と、
前記上昇管に設けられる還流ガス吹込み羽口とを備え、
前記還流ガス吹込み羽口から還流ガスを上方へ吹き込むことにより前記溶鋼を、前記上昇管、前記真空槽、前記下降管および前記取鍋の順に還流させながら、前記真空槽の内部に配置された粉体上吹きランスから、還流する溶鋼の湯面に粉状の脱硫フラックスを吹込むことにより前記溶鋼を脱硫する装置において、
前記粉体上吹きランスは、粉体吹き込み方向の中心方向がランス中心軸の方向に対してランス噴霧角度傾斜した偏心ランスであるとともに、前記粉状の脱硫フラックスを、前記環流ガス吹込み羽口の直上から水平方向へ１ｍ以内離れた範囲に存在する前記湯面へ向けて、吹込み、かつ
前記粉体上吹きランスのランス孔から、該粉体吹きランスの中心軸の延長と前記還流する溶鋼との交点までの距離は１．５〜３．５ｍである、溶鋼の脱硫装置。
【００２６】
（７）前記ランス噴霧角度θは、式（１）および式（２）を満足する、６項に記載の溶鋼の脱硫装置。
tanθ≦R/(Hlance-Y)                                      ・・・(1)
{Rn+LH-(αn+Y)×tanθ’}/(Hlance-Y)≦tanθ  ・・・(2)
ただし、
浴深Ｙ=Hs+Ls-α(m)
溶鋼高さＨs=(Pa-Pr)/ρg(m)
θ:粉体上吹きランスの噴霧角度(deg)
R:真空槽の中心部の湯面高さにおける真空槽の内径(m)
Hlance:粉体上吹きランスの先端〜真空槽の中心部の鉛直方向距離であるランス高さ(m)
Y:真空槽の底部中心における浴深(m)
Rn:真空槽の底部中心から還流ガス吹込み羽口までの水平方向距離(m)
LH:水平方向への気泡到達距離(m)
αn:真空槽の底部中心〜上昇管の還流ガス吹込み羽口までの鉛直方向距離(m)
θ’:気泡塔広がり角度であり12〜15(deg)
Hs:真空槽の中心部の溶鋼と取鍋内の溶鋼の鉛直方向距離である溶鋼高さ(m)
Ls:上昇管の溶鋼への浸漬深さ(m)
α:真空槽の底部中心槽〜上昇管の先端までの鉛直方向距離(m)
Pa:大気圧(kPa)
Pr:真空槽の槽内圧力(kPa)
ρ:溶鋼の比重(g/cm3)
g:重力加速度(g/sec2)
である。
【００２７】
（８）前記粉体上吹きランスは、前記粉状の脱硫フラックスの吹込み時に、前記ランス中心軸を回転中心として往復回転自在である、６または７項に記載の溶鋼の脱硫装置。
本発明は、上吹きランスから粉体の脱硫フラックスを溶鋼に吹き込む点は特許文献２により開示された発明と同じではあるが、
（ａ）偏心ランスから上昇管側の溶鋼へ向けて脱硫フラックスを吹きこむことにより粉体の巻き込みを促進する点、
（ｂ）偏心ランスを上昇管側へ向けて往復回転（スイング）することにより、脱硫剤の凝集を抑制し、噴霧範囲を拡大する点、および
（ｃ）ホタル石ＣａＦ２を含まない脱硫フラックスを用い、Ｃａ合金の配合比率を５〜３０％に調整することにより、脱Ｓ反応効率を制御する点
の３点で特許文献２に記載された発明とは相違する。
【発明の効果】
【００２８】
本発明により、二次精錬設備であるＲＨ真空脱ガス装置での粉体吹込みを利用して、環境負荷の大きいホタル石を用いずに、よりＳ濃度が４０ｐｐｍ以下の低Ｓ鋼を、より少ない脱硫フラックスの使用量で効率的に安定して製造できる。
【図面の簡単な説明】
【００２９】
【図１】図１は、本発明に係るＲＨ装置を用いて溶鋼を脱硫する状況を示す説明図である。
【図２】図２は、環流ガスにより形成されるプルームアイを示す説明図である。与する粉状の脱硫フラックス１４の粒子の割合を増加することができる。
【図３】図３は、ランス噴霧角度θを示すための説明図であり、図３（ａ）はランス噴霧角度θの上限の好適値を示し、図３（ｂ）はランス噴霧角度θの下限の好適値を示す。
【図４】図４は、水平方向への気泡到達距離LH(m)を示すための説明図である。
【図５】図５は、気泡塔広がり角度θ’を示すための説明図である。
【図６】図６（ａ）は、偏心ランスを回転せずに脱硫フラックスを吹き込む場合における脱硫フラックスの噴霧範囲を示す上面図であり、図６（ｂ）は、ランスを回転しながら脱硫フラックスを吹き込む場合における脱硫フラックスの噴霧範囲を示す上面図である。
【図７】図７は、ＰＢ原単位と脱硫率の変化（ｌｎ［Ｓ］ＰＢ前／［Ｓ］ＰＢ後）の関係を示すグラフである。
【図８】図８は、フラックス中Ｃａ合金濃度の変更による脱硫率の変化を示すグラフである。
【図９】図９は、ＲＨ装置により溶鋼の精錬を行う状況を示す説明図である。
【発明を実施するための形態】
【００３０】
図１は、本発明に係るＲＨ装置２０を用いて溶鋼２を脱硫する状況を示す説明図であり、図２は、環流ガス８により形成されるプルームアイを示す説明図である。なお、以降の説明では、図９に示すＲＨ装置１の各部と同じ部分には同一の符号を付けることにより、重複する説明を適宜省略する。
【００３１】
図１に示すように、本発明では、ＲＨ−ＰＢ法により溶鋼２を脱硫する。
【００３２】
すなわち、溶鋼２を収容する取鍋３の上方には真空槽４が配置され、真空槽４の下部に設けられた上昇管５に設けられた還流ガス吹込み羽口７から、還流ガス８を上方へ吹き込む。
【００３３】
これにより、溶鋼２を、上昇管５、真空槽４、下降管６および取鍋３の順に還流させながら、真空槽４の内部に配置される粉体上吹きランス１３から、還流する溶鋼２の湯面に粉状の脱硫フラックス１４を、例えばＡｒガスやＮ２ガス等の不活性ガスをキャリアガスとして吹込むことにより溶鋼２を脱硫する。
【００３４】
このように、本発明では、ＲＨ−ＰＢ法（粉体上吹きランス１３を用いた粉体吹込み方式）により、合金添加孔１２を介して脱硫フラックスを溶鋼２に上置きする上置き添加方式よりも粒度の細かい粉状の脱硫フラックス１４を吹き込むことにより、脱硫フラックス１４の粒子と溶鋼２との間の反応界面積を増加させ、反応速度を高めることができる。
【００３５】
本発明では、粉体上吹きランス１３として、粉体吹き込み方向の中心方向がランス中心軸の方向に対して所定のランス噴霧角度θ傾斜した偏心ランス１３を用いる。すなわち、偏心ランス１３を用いて脱硫フラックス１４の吹込み方向を上昇管５側の湯面の方向へ偏心させて、粉状の脱硫フラックス１４を吹き込むことによって、図２に示すように、上昇管５側の環流ガス８によって生じるプルームアイ（スラグ１６を排除した自由表面の裸湯１７の面）１５の溶鋼２の湯面に生成したスパウトアイにより生じた攪拌力や、溶鋼２の湯面における還流ガス８の破泡に起因する溶鋼２の流動を利用して、還流する溶鋼２に脱硫フラックス１４を効率的に巻き込ませ、脱Ｓ反応へ寄与する粉状の脱硫フラックス１４の粒子の割合を増加することができる。
【００３６】
図３は、ランス噴霧角度θを示すための説明図であり、図３（ａ）はランス噴霧角度θの上限の好適値を示し、図３（ｂ）はランス噴霧角度θの下限の好適値を示す。図４は、水平方向への気泡到達距離LH(m)を示すための説明図であり、図５は、気泡塔広がり角度θ’を示すための説明図である。図３〜５を参照しながらランス噴霧角度θの好適な範囲を説明する。
【００３７】
ランス噴霧角度θは、式（１）および式（２）を満足することが望ましい。
tanθ≦R/(Hlance-Y)                                      ・・・(1)
{Rn+LH-(αn+Y)×tanθ’}/(Hlance-Y)≦tanθ  ・・・(2)
ただし、
浴深Ｙ=Hs+Ls-α(m)
溶鋼高さＨs=(Pa-Pr)/ρg(m)
θ:粉体上吹きランス13の噴霧角度(deg)
R:真空槽4の中心部の湯面高さにおける真空槽4の内径(m)
Hlance:粉体上吹きランス13の先端〜真空槽4の中心部の鉛直方向距離であるランス高さ(m)
Y:真空槽4の底部中心における浴深(m)
Rn:真空槽4の底部中心から還流ガス吹込み羽口7までの水平方向距離(m)
LH:水平方向への気泡到達距離(m)
αn:真空槽4の底部中心〜上昇管5の還流ガス吹込み羽口7までの鉛直方向距離(m)
θ’:気泡塔広がり角度であり12〜15(deg)
Hs:真空槽4の中心部の溶鋼2と取鍋3の溶鋼2の鉛直方向距離である溶鋼高さ(m)
Ls:上昇管5の溶鋼2への浸漬深さ(m)
α:真空槽4の底部中心槽〜上昇管5の先端までの鉛直方向距離(m)
Pa:大気圧(kPa)
Pr:真空槽4の槽内圧力(kPa)
ρ:溶鋼2の比重(g/cm3)
g:重力加速度(g/sec2)
である。
図３（ａ）に示すように、ランス噴霧角度θの上限は、噴霧方向の中心軸の延長線上に真空槽４の耐火物の側壁が会合する部分となるように（溶鋼2の着地の限界点）、R/(Hlance-Y)と設定することが望ましい。
【００３８】
一方、図３（ｂ）に示すように、ランス噴霧角度θの下限は、気泡塔の上昇領域の推定域に粉体噴霧範囲が重なるように、{Rn+LH-(αn+Y)×tanθ’}/(Hlance-Y)と設定することが望ましい。
【００３９】
なお、水平方向への気泡到達距離LH(m)は、図４に示すように、修正フルード数Fr,Hとノズル径dN(mm)および還流ガス吹込み羽口7でのガス流速VH(m/sec)より、LH(m)＝3.7Fr,H1/3dN=3.7{(ρg/ρL)×(VH2/dNg)}1/3dNとして求めることが例示される。
【００４０】
また、気泡塔広がり角度θ’は、図５に示すように、気泡到達距離LH(m)の位置から垂直に気泡塔が形成されるとし、領域は気泡塔広がり角度θ’＝12〜15°として設定することが例示される。
【００４１】
本発明では、粉体上吹きランス１３の先端のランス孔１８から、還流する溶鋼２の湯面１９までの間の距離（すなわち、粉体上吹きランス１３の先端のランス孔１８から、粉体吹きランス１３の中心軸の延長と還流する溶鋼２の湯面１９との交点までの距離）Ｌを１．５〜３．５ｍとする。距離Ｌが、１．５ｍ未満であると粉体上吹きランス１３が溶損し、一方、３．５ｍを超えると真空槽４内で吹き込まれた脱硫フラックス１４のＣａＯ粒子が真空槽４の排気系１１に吸引されて散逸し、脱Ｓ効率を高めることができないからである。
【００４２】
ここで、変動する湯面１９の高さＨｓｔｅｅｌは、真空槽４外雰囲気の圧力をＰａとし、真空槽４内圧力をＰとし、溶鋼２の密度をρとし、重力加速度をｇとした場合に、Ｈｓｔｅｅｌ＝（Ｐａ−Ｐ）／ρｇとして求められるため、距離Ｌ＝粉体吹きランス１３の設定高さ−Ｈｓｔｅｅｌ＝粉体吹きランス１３の設定高さ−（Ｐａ−Ｐ）／ρｇとして求める。
【００４３】
本発明では、さらに、粉状の脱硫フラックス１４を、環流ガス吹込み羽口７の直上から水平方向へ１ｍ以内離れた範囲に存在する、溶鋼２の湯面へ向けて、吹込む。これにより、脱Ｓ効率を高めることができる。
【００４４】
なお、脱硫フラックス１４の粒度は１０−５〜１０−２ｍであることが好ましい。脱硫フラックス１４の粒度が、１０−５ｍ未満であると真空槽３内で吹き込まれた脱硫フラックス１４のＣａＯ粒子が真空槽３の排気系１１に吸引されて散逸し、脱Ｓ効率を高めることができず、一方、１０−２ｍ超であると、反応効率が低下してＳ濃度が５０ｐｐｍ以下の低Ｓ鋼を安定して溶製することができない。
【００４５】
このようにして、本発明によれば、ＲＨ−ＰＢ法における脱Ｓ反応効率を高めることができ、環境負荷の大きいホタル石を用いずにＳ濃度が５０ｐｐｍ以下の低Ｓ鋼１を、より少ない脱硫フラックス１４の使用量で効率的に安定して溶製できる。
【００４６】
図６（ａ）は、偏心ランス１３を回転せずに脱硫フラックス１４を吹き込む場合における脱硫フラックス１４の噴霧範囲を示す上面図であり、図６（ｂ）は、偏心ランス１３を回転しながら脱硫フラックス１４を吹き込む場合における脱硫フラックス１４の噴霧範囲を示す上面図である。
【００４７】
図６（ａ）および図６（ｂ）に脱硫フラックス１４の噴霧範囲の違いを示すように、本発明では、粉状の脱硫フラックス１４の吹込み時に、偏心ランス１３を、そのランス中心軸を回転中心として往復回転させることが望ましい。すなわち、ＲＨ―ＰＢ法による粉体吹込み中に、図６（ａ）に示すように偏心ランス１３により脱硫フラックス１４の吹込み方向を上昇管５側の湯面の方向へ偏心させた状態で、図６（ｂ）に示すように、偏心ランス１３をその中心軸を回転中心として往復回転（スイング）することによって、脱硫フラックス１４の溶鋼２への着地点（溶鋼２への脱硫フラックス１４の吹き込み位置）を変化させる。
【００４８】
これにより、吹き込まれた脱硫フラックス１４の凝集抑制、および、脱硫フラックス１４の噴霧範囲の拡大を図ることができ、プルームアイ１５の周辺に脱硫フラックス１４が吹き込まれ、脱硫フラックス１４の巻き込み性を向上できるとともに、溶鋼２と脱硫フラックス１４との間の脱Ｓ反応界面積を拡大することができる。本発明では、これらが相まって、脱硫フラックス１４の反応が促進され、脱Ｓ率を向上できる。
【００４９】
偏心ランス１３を、水平面内の中心角θで、５〜１８０ｄｅｇ往復回転させることが望ましい。偏心ランス１の回転角度が５ｄｅｇ未満であると吹き込まれた脱硫フラックス９の凝集抑制、および、脱硫フラックス９の噴霧範囲の拡大を図ることができず、一方、偏心ランス１の回転角度が１８０ｄｅｇ超であると、溶鋼流速の早い領域を逸脱するからである。
【００５０】
また、偏心ランス１３の往復回転の回転速度は、１〜２０（ｄｅｇ／ｓｅｃ）が望ましい。回転速度が１（ｄｅｇ／ｓｅｃ）未満であると粉体噴射方向の変化が小さくなり、吹き込まれた脱硫フラックス９の凝集抑制を図ることができず、２０（ｄｅｇ／ｓｅｃ）超で回転させた場合は、回転による噴霧範囲拡大効果の影響が小さくなるからである。ただし、２０（ｄｅｇ／ｓｅｃ）超の回転速度で吹き込んだ場合であっても、ランスの回転による脱硫促進効果を得ることは可能である。
【００５１】
図７は、ＰＢ原単位と脱硫率の変化（ｌｎ［Ｓ］ＰＢ前／［Ｓ］ＰＢ後）の関係を示すグラフである。図７のグラフにおいて、「通常ＰＢ」とは、偏心ランスではなく通常のランスを用いる従来法を示し、「上昇管向きＰＢ」とは、偏心ランスを用いる本発明法を示し、「上昇管スイングＰＢ」とは、偏心ランスを往復回転する本発明法を示す。
【００５２】
図７のグラフに示すように、偏心ランス１３を用いて、脱硫フラックス１４を上昇管５側の湯面の方向へ向けて吹込むことにより脱硫フラックス１４の吹込み量を約１０％削減できる。また、偏心ランス１３を、ランス中心軸を回転中心として往復回転させながら、脱硫フラックス１４を吹込むことにより脱硫フラックス１４の吹込み量を約２０％削減できる。
【００５３】
脱硫フラックス１４の吹込み量のこのような削減によって、製鋼スラグの発生量の削減により環境負荷を軽減でき、脱硫フラックス１４に要するコストを削減できるとともに、溶鋼２の温度低下の低減による昇熱コスト（Ａｌ添加量）を削減できる。
【００５４】
さらに、本発明では、粉状の脱硫フラックス１４は、ＣａＯを主体として含有し、１０〜３０質量％のＣａ系合金を含有することが望ましい。ＣａＯを主体とする脱硫フラックス１４にＣａ系合金を混合し、脱硫フラックス１４中のＣａ合金の濃度を１０質量％以上に制御することにより、吹込み時の溶鋼中Ｃａ濃度を調整できる。これにより、吹込み時の溶鋼２に供給される［Ｃａ］濃度を高めて平衡Ｓ濃度を減少させることができ、脱Ｓ反応が進行し易い条件として脱Ｓ速度を向上でき、脱Ｓ反応を効率的に進行させることができる。
【００５５】
Ｃａ系合金としては、Ｃａ−Ｓｉ，Ｃａ−Ａｌ，ＣａＣ２が例示される。脱硫フラックス１４におけるＣａＯの質量割合は例えば９０％以上である。
【００５６】
図８は、フラックス中Ｃａ合金濃度の変更による脱硫率の変化を示すグラフである。図８のグラフにおいて、「上昇管向きＰＢ」とは、偏心ランスを用いる本発明法を示し、「フラックス中Ｃａ合金濃度変更」とは、含有するＣａ合金の濃度を変更した脱硫フラックスを偏心ランスから吹き込む本発明法を示す。
【００５７】
図８のグラフに示すように、Ｃａ合金の濃度を変更した脱硫フラックスを偏心ランスから吹き込むことにより、脱Ｓ効率をさらに高めることができる。
【００５８】
このように、本発明で用いる脱硫フラックス１４は、ホタル石を含まなくてもＲＨ装置２０での粉体吹込みを利用してＳ濃度が４０ｐｐｍ以下の低Ｓ鋼を、より少ない脱硫フラックス１４の使用量で効率的に安定して溶製できるが、環境負荷が小さく実質的に問題を生じない少量であれば、脱硫フラックス１４がホタル石を含んでいてもよい。
【００５９】
このようにして本発明によれば、二次精錬設備であるＲＨ装置２０での粉体吹込みを利用して、すなわちＲＨ−ＰＢ法により、環境負荷の大きいホタル石を用いずに、Ｓ濃度が４０ｐｐｍ以下の低Ｓ鋼を、より少ない脱硫フラックス１４の使用量で効率的に安定して溶製できる。
【実施例】
【００６０】
出鋼温度：１６００〜１７００℃、出鋼Ｃ濃度：０．０１〜０．２０質量％、脱炭後Ｓ濃度：０．００１０〜０．００５０質量％の条件下で出鋼された溶鋼に、図１〜３に示すＲＨ装置２０を用いて、合金添加孔１２よりＣａＯを上置き添加してスラグの塩基度調整を行った後、ＣａＯ系の脱硫フラックス１４の粉体を偏心ランス１３より溶鋼２に吹込むことにより、ＲＨ−ＰＢ法による脱硫処理を行った。
【００６１】
また、従来例として、上記の溶鋼に、図９に示すＲＨ装置１を用いて、合金添加孔１２よりＣａＯを上置き添加してスラグの塩基度調整を行った後、ＣａＯ系の脱硫フラックス１０の粉体を偏心ランス１３より溶鋼２に吹込むことにより、ＲＨ−ＰＢ法による脱硫処理を行った。
【００６２】
この脱硫処理の条件（溶鋼処理量、還流量、フラックス吹き込み原単位、ランスの粉体吹込み方向、試験条件、ランス偏心角度）、および判定結果（初期Ｓ濃度、終点Ｓ濃度、脱Ｓ率／フラックス吹込み原単位、Ｃａ系合金配合比率）を表１に示す。
【００６３】
【表１】
2018109213.tif 000003
【００６４】
表１における試験Ｎｏ．１〜４では、Ｃａ系合金の配合比率を３０質量％とした脱硫フラックス１４を、先端のランス孔１８からランス中心軸の延長と還流する溶鋼２との交点までの距離を２ｍに設定した偏心ランス１３から、ランス中心軸を回転中心とする中心角４０°で偏心ランス１３を往復回転させながら、噴霧角度θ５°で吹込み、脱硫フラックス１４を、環流ガス吹込み羽口７の直上から水平方向へ１ｍ以内離れた範囲に存在する湯面へ向けて、吹き込んだ。
【００６５】
試験Ｎｏ．５〜９では、Ｃａ系合金の配合比率を１０質量％とした脱硫フラックス１４を、先端のランス孔１８からランス中心軸の延長と還流する溶鋼２との交点までの距離を２ｍに設定した偏心ランス１３から、ランス中心軸を回転中心とする中心角４０°で偏心ランス１３を往復回転させながら、噴霧角度θ５°で吹込み、脱硫フラックス１４を、環流ガス吹込み羽口７の直上から水平方向へ１ｍ以内離れた範囲に存在する湯面へ向けて、吹き込んだ。
【００６６】
試験Ｎｏ．１０〜１４では、Ｃａ系合金の配合比率を１０質量％とした脱硫フラックス１４を、先端のランス孔１８からランス中心軸の延長と還流する溶鋼２との交点までの距離を２ｍに設定した偏心ランス１３から噴霧角度θ７°で吹込み、脱硫フラックス１４を、環流ガス吹込み羽口７の直上から水平方向へ１ｍ以内離れた範囲に存在する湯面へ向けて、吹き込んだ。
【００６７】
試験Ｎｏ．１５〜１９では、Ｃａ系合金の配合比率を１０質量％とした脱硫フラックス１４を、先端のランス孔１８からランス中心軸の延長と還流する溶鋼２との交点までの距離を２ｍに設定した偏心ランス１３から噴霧角度θ５°で吹込み、脱硫フラックス１４を、環流ガス吹込み羽口７の直上から水平方向へ１ｍ以内離れた範囲に存在する湯面へ向けて、吹き込んだ。
【００６８】
試験Ｎｏ．２０〜２４では、Ｃａ系合金の配合比率を１０質量％とした脱硫フラックス１４を、先端のランス孔１８からランス中心軸の延長と還流する溶鋼２との交点までの距離を２ｍに設定した偏心ランス１３から噴霧角度θ３°で吹込み、脱硫フラックス１４を、環流ガス吹込み羽口７の直上から水平方向へ１ｍ以内離れた範囲に存在する湯面へ向けて、吹き込んだ。
【００６９】
なお、試験Ｎｏ.１〜２４では、
真空槽4の中心部の湯面高さにおける真空槽4の内径R:1.574(m)、
粉体上吹きランス13の先端〜真空槽4の中心部の鉛直方向距離であるランス高さHlance:2.5(m)、
真空槽4の底部中心から羽口7までの水平方向距離Rn:0.44(m)、
水平方向への気泡到達距離LH:0.06m)、
真空槽4の底部中心〜上昇管5の還流ガス吹込み羽口7までの鉛直方向距離αn:1.22(m)、
気泡塔広がり角度θ’:15(deg)、
上昇管5の溶鋼2への浸漬深さLs:0.5(m)、
大気圧Pa:101.325(kPa)、
真空槽4の槽内圧力Pr:5(kPa)、
真空槽4の中心部の溶鋼2と取鍋3の溶鋼2の鉛直方向距離である溶鋼高さ:1.40(m)、（槽内圧力Prが5(kPa)の場合）
真空槽4の底部中心槽〜上昇管5の先端までの鉛直方向距離α:1.62(m)、
溶鋼2の比重ρ:7(g/cm3)、
重力加速度g:9.80665(g/sec2)である。このため、真空槽4の底部中心における浴深Y:0.28(m)であった。したがって、例えば噴霧角度θ：３°および気泡塔広がり角度θ’:１２°の場合には、（１）式は満足するものの（２）式は満足しない。
【００７０】
一方、試験Ｎｏ．２５〜２８では、Ｃａ系合金の配合比率を１０質量％とした脱硫フラックス１０を、先端のランス孔からランス中心軸の延長と還流する溶鋼２との交点までの距離を２ｍに設定したランス９から、ランス中心軸の方向（鉛直下方向）へ向けて吹き込んだ。
【００７１】
表１に示すように、本発明例である試験Ｎｏ．１〜２４は、終点Ｓ濃度：６〜１８ｐｐｍ，脱Ｓ率／フラックス吹込み原単位：７．６〜２０．６％・ｔｏｎ／ｋｇであり、ＲＨ−ＰＢ法により、環境負荷の大きいホタル石を用いずに、Ｓ濃度が４０ｐｐｍ以下の低Ｓ鋼を、より少ない脱硫フラックス１４の使用量で効率的に安定して製造できたことが分かる。
【００７２】
特に、試験Ｎｏ．１５〜１９と試験Ｎｏ．５〜９とを対比することにより、ランス中心軸を回転中心として偏心ランス１３を往復回転させることにより脱硫フラックス１４の使用量をいっそう削減でき、また、試験Ｎｏ．５〜９と試験Ｎｏ．１〜４とを対比することにより、ランス中心軸を回転中心として偏心ランス１３を往復回転させるとともに脱硫フラックス１４中のＣａ合金配合比率を高めることにより、脱硫フラックス１４の使用量をさらにいっそう削減できることがわかる。
【００７３】
このため、本発明によれば、例えば、油井管やラインパイプをはじめとする耐サワー性や耐ＨＩＣ性を要求される管材用の溶鋼を低コストで提供できる。
【００７４】
これに対し、従来例である試験Ｎｏ．２５〜２８では、終点Ｓ濃度が１１〜１４ｐｐｍであり、Ｓ濃度が４０ｐｐｍ以下の低Ｓ鋼を製造できたものの、脱Ｓ率／フラックス吹込み原単位が３．７〜５．５％・ｔｏｎ／ｋｇと低く、脱硫フラックス１０の使用量を削減できず、製造コストが嵩んだ。
【符号の説明】
【００７５】
１  従来のＲＨ装置
２  溶鋼
３  取鍋
４  真空槽
５  上昇管
６  下降管
７  還流ガス吹込み羽口
８  環流ガス
９  粉体上吹きランス
１０，１４  脱硫フラックス
１１  排気系
１２  合金添加孔
１３  粉体上吹きランス（偏心ランス）
１５  プルームアイ
１６  スラグ
１７  裸湯
１８  ランス孔
１９  湯面
２０  本発明に係るＲＨ装置
【図１】
2018109213.tif 000004
【図２】
2018109213.tif 000005
【図３】
2018109213.tif 000006
【図４】
2018109213.tif 000007
【図５】
2018109213.tif 000008
【図６】
2018109213.tif 000009
【図７】
2018109213.tif 000010
【図８】
2018109213.tif 000011
【図９】
2018109213.tif 000012